(57)【要約】      （修正有） 【課題】用紙フィード通路を最小値に保持し、一枚の紙葉のみを通過させ、二枚目以降の紙葉の前進を止めて複数枚の紙葉の送入を防ぐ給紙機構を提供する。【解決手段】ボディを有する自動紙送り機の中に設けられる給紙機構であって、給紙機構は、ボディに設けられ、中間部分にスロットが設けられる用紙フィーダー１０と、ボディに設けられる給紙モジュールであって、紙葉分離ローラー２１と給紙ローラー２２とが設けられ、給紙ローラーはスロットの中に配置され、用紙フィーダー及び給紙ローラーが紙葉分離ローラーとの間に用紙フィード通路を形成する、給紙モジュールと、枢動可能にボディに設けられ、かつ紙葉分離ローラーの一側の配置され、用紙フィーダーと当接する当接止め部３１３、３２３を有する、紙ストッパー３１、３２と、を含む。紙ストッパーの当接止め部と紙との摩擦力により紙ストッパーの跳びはねを防止する。【選択図】図４
0003216391.tif 000002
【実用新案登録請求の範囲】
【請求項１】
ボディを有する自動紙送り機の中に設けられる給紙機構であって、
前記ボディに設けられる用紙フィーダーであって、前記用紙フィーダーの中間部分にスロットが設けられる、用紙フィーダーと、
前記ボディに設けられる給紙モジュールであって、前記給紙モジュールに紙葉分離ローラーと給紙ローラーとが設けられ、前記給紙ローラーは前記スロットの中に配置され、前記用紙フィーダー及び前記給紙ローラーが紙葉分離ローラーとの間に用紙フィード通路が形成される、給紙モジュールと、
枢動可能に前記ボディに設けられ、かつ前記紙葉分離ローラーの一側の配置され、前記用紙フィーダーと当接する当接止め部を有する、紙ストッパーと、
を含む給紙機構。
【請求項２】
前記紙ストッパーは枢接軸を含み、前記枢接軸の方向は用紙フィード方向と垂直し、前記枢接軸の位置は前記当接止め部と前記用紙フィーダーの当接点の前方にある、
請求項１記載の給紙機構。
【請求項３】
前記ボディは筐体を含み、
前記筐体は枢接穴を有し、    
前記用紙フィーダーにおいて前記スロットの前端のスロット壁に後ろへ延びてカム状のカム部が形成されており、
前記紙ストッパーは第一紙ストッパー及び第二紙ストッパーを含み、
前記第一紙ストッパーは、第一枢接部と、前記第一枢接部の後側から下かつ後ろへ延びて形成した第一揺動アームと、前記第一揺動アームの末端から曲がって形成した第一当接止め部と、前記第一当接止め部の末端より続いて上かつ後ろへ斜めに延びて形成した接続アームとを有し、
前記第一当接止め部の下表面は平面となり、
前記第一枢接部の両側に第一枢接軸が凸んで設けられ、
第一紙ストッパーには、第一揺動アーム、第一当接止め部及び接続アームを貫通する回避スロットが設けられ、
第二紙ストッパーは、第二枢接部と、第二枢接部の後側から後ろへ延びてから上かつ後ろに曲がって形成した第二揺動アームとを有し、
前記第二揺動アームの中間部分に第二当接止め部が下へ凸んで形成され、前記第二当接止め部の下表面は平面となり、前記第二枢接部の両側に第二枢接軸が凸んで設けられ、
前記第一枢接部及び前記第二枢接部が筐体の枢接穴の中に枢接され、
前記第一当接止め部及び前記第二当接止め部の下表面が、前記用紙フィーダーの前記カム部の上表面と接触し、前記第二紙ストッパーは前記回避スロットに収められる、
請求項２記載の給紙機構。
【請求項４】
前記第一当接止め部及び前記第二当接止め部の下表面は平面となる、
請求項３記載の給紙機構。
【請求項５】
前記第一当接止め部及び前記第二当接止め部のそれぞれが前記カム部との当接点は同じ水平面に位置しない、
請求項４に記載の給紙機構。
【請求項６】
前記紙ストッパーは枢接軸を含み、
前記枢接軸の方向は用紙フィード方向と平行する、
請求項１記載の給紙機構。
【請求項７】
前記ボディは筐体を含み、
前記筐体は枢接穴を有し、
前記用紙フィーダーにおいて前記スロットの両側にそれぞれカム状のカム部が凸んで設けられ、  
前記紙ストッパーは第一紙ストッパー及び第二紙ストッパーを含み、
第一紙ストッパーは第一枢接部及び前記第一枢接部の末端から外かつ下へ曲がって延びて形成した第一当接止め部を有し、
前記第一枢接部の両側に第一枢接軸が凸んで設けられ、
前記第二紙ストッパーは第二枢接部及び前記第二枢接部の末端から外かつ下へ曲がって延びて形成した第二当接止め部を有し、
前記第二枢接部の両側に第二枢接軸が凸んで設けられ、
前記第一枢接部及び前記第二枢接部は筐体の枢接穴の中に枢接され、
前記第一紙ストッパー及び前記第二紙ストッパーは用紙フィード方向に前後で並び、前記第一当接止め部及び前記第二当接止め部の下表面が前記用紙フィーダーの前記カム部の上表面と接触する、
請求項６記載の給紙機構。
【請求項８】
前記第一当接止め部および前記第二当接止め部の下表面は平面となる、
請求項７記載の給紙機構。
【請求項９】
前記第一当接止め部及び前記第二当接止め部のそれぞれがカム部との当接点は同じ水平面に位置しない、
請求項８記載の給紙機構。
【考案の詳細な説明】
【技術分野】
【０００１】
本考案は給紙機構に関する。特にプリンター、スキャナー、コピー機およびファックス機などのオフィス設備に用いられる給紙機構に関する。
【背景技術】
【０００２】
プリンター、スキャナー、コピー機およびファックス機などのオフィス設備が給紙機構を有する。一つ目の従来技術において、給紙機構は揺動アームと給紙ローラーを含み、揺動アームが給紙ローラーと接して閉鎖的フィード通路を形成する。揺動アームは固定端部と揺動端部を含み、揺動端部は揺動によって給紙ローラーと接触する、または離れる。紙が通過する時に、紙が揺動アームを突き上げて揺動端部と給紙ローラーとの間に極小さいフィード通路を生じさせ、一枚目の紙に通過させるともに、二枚目の紙に抵抗力を提供して一枚目と二枚目の紙とを分離させる。
【０００３】
具体的に、給紙しない時に揺動アーム自らの重量によって給紙ローラーとの接触を保つ。給紙ローラーが用紙フィード方向に回転する時に、給紙ローラーの回転が揺動アームに対して生じた摩擦力が揺動アーム自らの重力より大きいため摩擦力が生じ、この摩擦力が揺動アームの回転トルクとなって揺動アームを跳びはねさせる。それによって揺動アームが給紙ローラーとの接触を保つことができなく、紙への摩擦力が不安定となって紙葉分離力と安定性が落ちる。一方、紙が揺動アームと給紙ローラーの当接点を通過した後に、揺動アームの揺動端部が紙に寄り掛ることは、同様に紙との摩擦力によって揺動アームを跳びはねさせて、紙葉分離力と安定性が落ちてしまう。
【０００４】
二つ目の従来技術において、給紙機構は揺動アームと給紙ローラーを有する。揺動アームが給紙ローラーと接しない。給紙ローラーの両側に用紙フィード通路を有し、揺動アームの揺動端部が用紙フィード通路の下方に入るが用紙フィード通路と接しない。一側から見ると、揺動アームの揺動端部は給紙ローラーと部分的重なりが生じ、揺動アームの回転中心位置が、揺動アームを固定位置に維持させ、跳びはねないように変更することによって、紙葉分離の安定性が上がる。ただし、この設定は用紙フィード通路を接しないため、揺動アームは給紙ローラーとの間に重なる部分があるので、紙が揺動アームを通過する時に、揺動アームの下方から通過するやり方か、揺動アームを突き上げてから揺動アームと給紙ローラーとの間に通過するやり方にしなければならない。紙が揺動アームを突き上げるやり方において、揺動アームの先端斜面の角度に関わる。特許文献１（米国特許第９１１４９４７号明細書）の記載によると、同じ種類の紙への測定において、斜面角度が小さいほど紙葉分離力が落ち、給紙力が上がる。逆に斜面角度が大きいほど紙葉分離力が上がって給紙力が落ちる。紙葉分離力を高くするために斜面角度を大きくする場合、この紙を揺動アームの下方を通す方式において紙の厚みの影響を受ける。紙葉が受ける力が同じの場合、厚い紙の変形量が遥かに薄い紙の変形量より小さいため、厚い紙が変形して揺動アームの下方を通過することができなく、ただ揺動アームを突き当たる。厚い紙のフィードをスムーズにし、給紙力を高くするために斜面角度を小さくする場合、紙葉分離力が落ち、薄い紙の給紙効果が悪くなる。逆に厚い紙の給紙が難しい場合、薄い紙の紙葉分離効果がよくなる。そのため、厚い紙の給紙及び薄い紙の紙葉分離の間にトレードオフ関係があって、設計の時に片方のみを選択でき、紙葉分離の安定性が落ちる。
上記どちらの従来技術でも、紙葉分離の安定性を有効にあげることができなく、複数枚の紙葉をフィードしてしまう。
【先行技術文献】
【特許文献】
【０００５】
【特許文献１】米国特許第９１１４９４７号明細書
【考案の概要】
【考案が解決しようとする課題】
【０００６】
本考案は、従来技術の欠陥と不足に対して紙葉分離の安定性が高い給紙機構を提供することを目的とする。
【課題を解決するための手段】
【０００７】
上記目的を実現するために、本考案の給紙機構は自動紙送り機の中に配置される。自動紙送り機はボディを有する。給紙機構は用紙フィーダー、給紙モジュール及び少なくとも一つの紙ストッパーを含む。用紙フィーダーはボディに配置され、用紙フィーダーの中間部分にスロットが設けられる。給紙モジュールはボディに設けられ、かつ紙葉分離ローラーの一側に配置され、給紙モジュールには紙葉分離ローラー及び給紙ローラーが設けられ、給紙ローラーはスロットの中に配置され、用紙フィーダー及び給紙ローラーは、紙葉分離ローラーとの間に用紙フィード通路が形成され、紙ストッパーは枢動可能にボディに設けられ、かつ給紙ローラーの上方の配置され、紙ストッパーは当接止め部を有し、当接止め部が用紙フィーダーと当接する。
【考案の効果】
【０００８】
上記記載通りに、本考案の給紙機構は当接止め部が用紙フィーダーと接触することによって、紙ストッパーの当接止め部と紙葉とは摩擦力により紙ストッパーを跳びはねさせないようにする。用紙フィーダーの過程において、用紙フィード通路が最小値に保持されて一枚の紙葉のみを通過させ、二枚目以降の紙葉を止めて、複数枚の紙葉をフィードしてしまう確率を下げる。
【図面の簡単な説明】
【０００９】
【図１】本考案の給紙機構の一つの実施例の斜視図である。
【図２】図１に示す本考案の給紙機構の斜視分解図である。
【図３】図１に示す本考案の給紙機構のもう一つの斜視図である。
【図４】図１に示す本考案の給紙機構の側面図である。
【図５】図１に示す本考案の給紙機構のもう一つ実施例の斜視図である。
【図６】図５に示す本考案の給紙機構の斜視分解図である。
【図７】図５に示す本考案の給紙機構の側面図である。
【考案を実施するための形態】
【実施例１】
【００１０】
本考案の技術内容および構造特徴の目的と効果を詳しく説明するために、下記通りに実施例を挙げて図面に合わせて説明する。
【００１１】
図１〜図５を参照する。本考案の給紙機構１００の第一実施例である。本考案の給紙機構１００は自動紙送り機（不図示）の中に配置される。前記自動紙送り機は紙やカードをスキャンする機能がある。自動紙送り機はボディ（不図示）を有する。ボディは筐体４０を含む。筐体４０は枢接穴４１を有する。前記自動紙送り機の給紙機構１００は用紙フィーダー１０、給紙モジュール２０及び少なくとも一つの紙ストッパー３０を含む。
【００１２】
用紙フィーダー１０は筐体４０に配置される。用紙フィーダー１０の中間部分にスロット１１が設けられる。用紙フィーダー１０においてスロット１１の前端のスロット壁に後ろへ延びてカム状のカム部１２が形成される。
【００１３】
給紙モジュール２０が筐体４０に配置される。給紙モジュール２０は紙葉を抓めて自動紙送り機に繰り出すことに用いられる。給紙モジュール２０に紙葉分離ローラー２１及び給紙ローラー２２が設けられる。給紙ローラー２２はスロット１１の中に配置され、用紙フィーダー１０及び給紙ローラー２２は紙葉分離ローラー２１との間に用紙フィード通路５０が形成される。具体的に言うと、カム部１２及び給紙ローラー２２は紙葉分離ローラー２１との間に用紙フィード通路５０が形成される。
【００１４】
紙ストッパー３０は筐体４０に枢動可能に設けられ、かつ紙葉分離ローラー２１の一側に配置される。紙ストッパー３０は当接止め部を有する。当接止め部が用紙フィーダー１０と接触する。具体的に、紙ストッパー３０は第一紙ストッパー３１及び第二紙ストッパー３２を含む。第一紙ストッパー３１は第一枢接部３１１と、第一枢接部３１１の後側から下かつ後ろへ延びて形成した第一揺動アーム３１２と、第一揺動アーム３１２の末端から曲がって形成した第一当接止め部３１３及び第一当接止め部３１３の末端より続いて上かつ後ろへ斜めに延びて形成した接続アーム３１４とを有する。第一当接止め部３１３の下表面は平面となる。第一枢接部３１１の両側に第一枢接軸３１５が凸んで設けられる。第一紙ストッパー３１には、第一揺動アーム３１２、第一当接止め部３１３及び接続アーム３１４を貫通する回避スロット３１６が設けられる。第二紙ストッパー３２は、第二枢接部３２１及び第二枢接部３２１の後側から後ろへ延びてから上かつ後ろに曲がって形成した第二揺動アーム３２２を有し、第二揺動アーム３２２の中間部分に第二当接止め部３２３が下へ凸んで形成され、第二当接止め部３２３の下表面は平面となり、第二枢接部３２１の両側に第二枢接軸３２４が凸んで設けられる。
【００１５】
第一枢接部３１１及び第二枢接部３２１が筐体４０の枢接穴４１の中に枢接され、第一枢接軸３１５及び第二枢接軸３２４の方向は用紙フィード方向と垂直し、第一当接止め部３１３及び第二当接止め部３２３の下表面が、用紙フィーダー１０のカム部１２の上表面と接触する。第二紙ストッパー３２は回避スロット３１６に収められ、第一当接止め部３１２及び第二当接止め部３２３のそれぞれがカム部１２との当接点は同じ水平面に位置しない。また、第一枢接軸３１５と第二枢接軸３２４の位置は第一当接止め部３１３及び第二当接止め部３２３とカム部１２との当接点の前方にある。このように、紙ストッパー３０の当接止め部の紙葉との摩擦力により紙ストッパー３０を跳びはねさせないようにする。用紙フィードの過程において、用紙フィード通路５０は最小値に保持され、一枚の紙葉のみを通過させ、かつ二枚目以降の紙葉の前進を止めて複数枚の紙葉をフィードしてしまう確率を下げる。
【実施例２】
【００１６】
図６と図７を参照する。本考案の給紙機構１００’の第二実施例である。本考案の給紙機構１００’は自動紙送り機（不図示）の中に配置される。前記自動紙送り機は紙やカードをスキャンする機能がある。自動紙送り機はボディ（不図示）を有し、ボディは筐体４０’を有する。筐体４０’は枢接穴４１’を有する。前記自動紙送り機の給紙機構１００’は用紙フィーダー１０’、給紙モジュール２０’および少なくとも一つの紙ストッパー３０’を含む。
【００１７】
用紙フィーダー１０’はボディ４０’に配置される。用紙フィーダー１０’の中間部分にスロット１１’が設けられる。用紙フィーダー１０’においてスロット１１’の両側にそれぞれカム状のカム部１２’が凸んで設けられる。
【００１８】
給紙モジュール２０’は筐体４０’に設けられる。給紙モジュール２０’は紙葉を抓めて自動紙送り機に送入することに用いられる。給紙モジュール２０’において、紙葉分離ローラー２１’及び給紙ローラー２２’は紙葉分離ローラー２１’との間に給紙通路５０’が形成される。具体的にカム部１２’及び給紙ローラー２２’は紙葉分離ローラー２１’との間に用紙フィード通路５０’が形成される。
【００１９】
紙ストッパー３０’は枢動可能に筐体４０’に、かつ紙葉分離ローラー２１’の一側に配置される。紙ストッパー３０’は当接止め部を有し、当接止め部が用紙フィーダー１０’と接触する。具体的に紙ストッパー３０’は第一紙ストッパー３１’及び第二紙ストッパー３２’を含む。第一紙ストッパー３１’は第一枢接部３１１’と、第一枢接部３１１’の末端から外かつ下へ曲がって延びて形成した第一当接止め部３１２’とを有する。第一当接止め部３１２’の下表面は平面となる。第一枢接部３１１’の両側に第一枢接軸３１３’凸んで設けられ、第二紙ストッパー３２’は第二枢接部３２１’と、第二枢接部３２１’の末端から外かつ下へ曲がって延びて形成した第二当接止め部３２２’とを有し、第二当接止め部３２２’の下表面は平面となる。第二枢接部３２１’の両側に第二枢接軸３２３’凸んで設けられる。第一枢接部３１１’及び第二枢接部３２１’は筐体４０’の枢接穴４１’の中に枢接される、第一枢接軸３１３’及び第二枢接軸３２３’の方向は用紙フィード方向と平行し、第一紙ストッパー３１’および第二紙ストッパー３２’は用紙フィード方向に前後で並び、第一当接止め部３１２’及び第二当接止め部３２２の下表面が用紙フィーダー１０’のカム部１２’の上表面と接触する。第一当接止め部３１２’及び第二当接止め部３２２’のそれぞれのカム部１２’との当接点は同じ水平面に位置しない。このように、紙ストッパー３０’の当接止め部が紙葉との摩擦力により紙ストッパー３０’を跳びはねさせないにする。用紙フィードの過程において、用紙フィード通路５０は最小値に保持され、一枚の紙葉のみを通過させ、かつ二枚目以降の紙葉の前進を止めて複数枚の紙葉をフィードしてしまう確率を下げる。
【００２０】
本考案の給紙機構１００、１００’が作動するときに、給紙モジュール２０、２０’は紙葉を動かし、紙葉が紙ストッパー３０、３０’を突き当たって進入して、紙ストッパー３０、３０’は自らの重量でトルクT１が生じるため紙ストッパー３０、３０’は下へ押しつける。一枚目の紙葉は紙ストッパー３０、３０’との間に相互摩擦力があって、一枚目の紙葉が紙ストッパー３０、３０’に対して用紙フィード方向の摩擦力を発生してトルクT2を発生する。一枚目の紙葉は二枚目の紙葉との間に相互作用の摩擦力があるため、一枚目の紙葉が用紙フィード過程において（まだ二枚目の紙葉から離脱しない時）は二枚目の紙葉をリードして前へ動かし、二枚目の紙葉は紙ストッパー３０、３０’に当たって紙ストッパー３０、３０’に止められる。二枚目の紙葉は紙ストッパー３０，３０’へ用紙フィード方向への作用力を提供してトルクT3を発生して、トルクT1、T2,T3の回転方向は一致するため、紙ストッパー３０、３０’をさらに一枚目の紙葉を押しつけて、跳びはねられにくく、複数枚の紙葉をフィードしてしまう確率を下げることを実現する。
【産業上の利用可能性】
【００２１】
上記記載通りに、本考案の給紙機構１００、１００’は当接止め部によって用紙フィーダーと接触し、具体的には第一当接止め部３１３、３１２’および第二当接止め部３２２、３２２’の下表面１０、１０’のカム部１２、１２’の上表面と接触し、紙ストッパー３０、３０’の当接止め部の紙葉との摩擦力により紙ストッパー３０、３０’を跳びはねさせないようにする。用紙フィードの過程において、用紙フィード通路５０、５０’が最小値に保持され、一枚の紙葉のみを通過させ、二枚目以降の紙葉の前進を止めて複数枚の紙葉を送入してしまう確率を下げる。
【符号の説明】
【００２２】
１００  給紙機構
１０  用紙フィーダー    
１１  スロット
１２  カム部    
２０  給紙モジュール
２１  紙葉分離ローラー  
２２  給紙ローラー
３０  紙ストッパー  
３１  第一紙ストッパー
３１１  第一枢接部  
３１２  第一揺動アーム
３１３  第一当接止め部  
３１４  接続アーム
３１５  第一枢接軸  
３１６  回避スロット
３２  第二紙ストッパー  
３２１  第二枢接部
３２２  第二揺動アーム  
３２３  第二当接止め部
３２４  第二枢接軸  
４０  筐体
４１  枢接穴  
５０  用紙フィード通路
１００’  給紙機構  
１０’  用紙フィーダー
１１’  スロット  
１２’  カム部    
２０’  給紙モジュール  
２１’  紙葉分離ローラー
２２’  給紙ローラー  
３０’  紙ストッパー
３１１’  第一枢接部  
３１２’  第一当接止め部
３１３’  第一枢接軸  
３２’  第二紙ストッパー
３２１’  第二枢接部  
３２２’  第二当接止め部
３２３’  第二枢接軸  
４０’  筐体
４１’  枢接穴  
５０’  用紙フィード通路
【図１】
0003216391.tif 000003
【図２】
0003216391.tif 000004
【図３】
0003216391.tif 000005
【図４】
0003216391.tif 000006
【図５】
0003216391.tif 000007
【図６】
0003216391.tif 000008
【図７】
0003216391.tif 000009